(57)【要約】【課題】周波数再利用およびパイロットサブグリッドのパイロットによるチャネル評価を行い、パイロットのためのセルプランニングを必要としない単一周波数マルチセルモバイルネットワーク内でのＯＦＤＭデータ伝送の方法を提供すること。【解決手段】本発明は、ＯＦＤＭ時間周波数グリッド中のパイロットサブグリッドのパイロット（ＰＩＬＯＴ）によるチャネル評価を行うモバイル端末ＭＴからのおよびそれへの単一周波数マルチセルモバイルネットワーク内でのＯＦＤＭデータ伝送の方法と、それにより、モバイルネットワークの様々なセルのパイロットサブグリッドの位置をランダムにあるいは擬似ランダムに分配する手段と、ベーストランシーバステーションと、基地局コントローラと、モバイル端末と、それらのためのモバイルネットワークとに関する。【選択図】図３
2006246456.tif 000002
【特許請求の範囲】
【請求項１】
ＯＦＤＭ時間周波数グリッド内のパイロットサブグリッドのパイロットのチャネル評価を行うモバイル端末からおよびモバイル端末への単一周波数マルチセルモバイルネットワーク内でのＯＦＤＭデータ伝送の方法であって、モバイルネットワークの様々なセルのパイロットサブグリッドの位置をランダムにまたは擬似ランダムに分配する方法。
【請求項２】
モバイルネットワークの少なくとも２つのベーストランシーバステーションが同期されている場合、これら少なくとも２つのベーストランシーバステーションに対応するセル内で、パイロットサブグリッドの同一同期ランダム位置または擬似ランダム位置、および近傍セル内でそれぞれ異なるようにプランニングされたセル固有の周波数シフトが使用される請求項１に記載の方法。
【請求項３】
パイロットサブグリッドの期間より大きくない周波数範囲を占めるＯＦＤＭ時間周波数グリッドのいくつかの近傍周波数パターンの場合、ＴＴＩ間隔の少なくとも１つのＯＦＤＭ符号のために、パイロットが、現在のＴＴＩ間隔で最低数のパイロットを有するこれらの周波数パターンの１つにおいてのみ可能になる請求項１に記載の方法。
【請求項４】
ＯＦＤＭ時間周波数グリッド中のパイロットサブグリッドのパイロットによるチャネル評価を行うモバイル端末からのおよびモバイル端末への単一周波数マルチセルモバイルネットワーク内でのデータ伝送の手段であって、モバイルネットワークの様々なセルのパイロットサブグリッドの位置をランダムにまたは擬似ランダムに分配する手段を含むベーストランシーバステーション。
【請求項５】
パイロットサブグリッドの擬似ランダム位置に関する情報をモバイル端末にシグナリングする手段を含む請求項４に記載のベーストランシーバステーション。
【請求項６】
パイロットサブグリッドの期間より大きくない周波数範囲を占めるＯＦＤＭ時間周波数グリッドのいくつかの近傍周波数パターンの場合、ＴＴＩ間隔の少なくとも１つのＯＦＤＭ符号のために、パイロットが、現在のＴＴＩ間隔内で最低数のパイロットを有するこれらの周波数パターンの１つにおいてのみ許可される請求項４に記載のベーストランシーバステーション。
【請求項７】
単一周波数マルチセルモバイルネットワーク内での無線リソース管理のための基地局コントローラであって、パイロットサブグリッドを、モバイルネットワークのＯＦＤＭ時間周波数グリッド中のこれらのパイロットサブグリッドのランダムにまたは擬似ランダムに分配された位置を有するモバイルネットワークのセルに割り当てる手段を含む基地局コントローラ。
【請求項８】
パイロットサブグリッドの同一同期ランダム位置または擬似ランダム位置およびセル固有の周波数シフトをモバイルネットワークのセルに割り当てる手段を含む請求項７に記載の基地局コントローラ。
【請求項９】
単一周波数マルチセルモバイルネットワーク内でのＯＦＤＭデータ伝送のためのモバイル端末であって、パイロットサブグリッドの擬似ランダム位置についての情報を受け取る手段および位置を判定するために情報を評価する手段を含むモバイル端末。
【請求項１０】
モバイル端末と、ＯＦＤＭ時間周波数グリッド中のパイロットサブグリッドのパイロットによるチャネル評価を行うモバイル端末からのおよびモバイル端末への単一周波数マルチセルモバイルネットワーク内でのデータ伝送の手段であって、モバイルネットワークの様々なセルのパイロットサブグリッドの位置をランダムにまたは擬似ランダムに分配する手段を含む少なくとも１つのベーストランシーバステーションと、単一周波数マルチセルモバイルネットワーク内での無線リソース管理のための少なくとも１つの基地局コントローラであって、パイロットサブグリッドを、モバイルネットワークのＯＦＤＭ時間周波数グリッド中のこれらのパイロットサブグリッドのランダムにまたは擬似ランダムに分配された位置を有するモバイルネットワークのセルに割り当てる手段を含む基地局コントローラとを含む単一周波数マルチセルモバイルネットワーク。
【発明の詳細な説明】
【技術分野】
【０００１】
本発明は、参照により本明細書に組み込まれた優先権出願、欧州特許出願第０５２９０４６５．３号に基づく。
【０００２】
本発明は、ＯＦＤＭ（Orthogonal  Frequency  Division  Multiplexing＝直交周波数分割多重）時間周波数グリッド中のパイロットサブグリッドのパイロットによるチャネル評価を行う単一周波数マルチセルモバイルネットワーク内での、ＯＦＤＭデータ伝送の方法であって、モバイルネットワークの様々なセルのパイロットサブグリッドの位置をランダムにあるいは擬似ランダムに分配する方法と、ＯＦＤＭ時間周波数グリッド中のパイロットサブグリッドのパイロットによるチャネル評価を行うモバイル端末からのおよびモバイル端末への、単一周波数マルチセルモバイルネットワーク内でのデータ伝送の手段であって、モバイルネットワークの様々なセルのパイロットサブグリッドの位置をランダムにまたは擬似ランダムに分配する手段を含むベーストランシーバステーションと、単一周波数マルチセルモバイルネットワーク内の無線リソース管理のための基地局コントローラであって、パイロットサブグリッドを、モバイルネットワークのＯＦＤＭ時間周波数グリッド中のこれらのパイロットサブグリッドのランダムにまたは擬似ランダムに分配された位置を有するモバイルネットワークのセルに割り当てる手段を含む基地局コントローラと、単一周波数マルチセルモバイルネットワーク内のＯＦＤＭデータ伝送のためのモバイル端末であって、パイロットサブグリッドの擬似ランダム位置に関する情報を受け取る手段ならびに上記位置およびモバイル端末を含むモバイルネットワークを判定するために上記情報を評価する手段を含むモバイル端末と、ＯＦＤＭ時間周波数グリッド中のパイロットサブグリッドのパイロットによるチャネル評価を行うモバイル端末からのおよびモバイル端末への、単一周波数マルチセルモバイルネットワーク内でのデータ伝送の手段であって、モバイルネットワークの様々なセルのパイロットサブグリッドの位置をランダムにまたは擬似ランダムに分配する手段を含む少なくとも１つのベーストランシーバステーションと、単一周波数マルチセルモバイルネットワーク内の無線リソース管理のための少なくとも１つの基地局コントローラであって、パイロットサブグリッドを、モバイルネットワークのＯＦＤＭ時間周波数グリッド中のこれらのパイロットサブグリッドのランダムにまたは擬似ランダムに分配された位置を有するモバイルネットワークのセルに割り当てる手段を含む基地局コントローラとに関する。
【背景技術】
【０００３】
ＯＦＤＭエアインターフェースは、たとえば３ＧＰＰ無線アクセスネットワークでのエアインターフェースの将来の発展、たとえばＩＥＥＥ８０２．１１ａ準拠の無線ローカルエリアネットワーク（ＷＬＡＮ）、あるいは第４世代のエアインターフェースにとってますます重要になるであろう。
【０００４】
ＯＦＤＭ伝送では、時間周波数パターンがモバイル端末に割り当てられる。様々なセルがそれぞれ異なる時間周波数パターンを持つことができ、その結果、セル間の干渉調整は必要でもなく、可能でもなくなる。
【０００５】
認可帯域幅が与えられると、たとえばＷｅｂサーフィンまたはビデオストリーミングのネットワークプロバイダが提供する伝送容量は、全てのユーザができるだけ多くの加入者となるように、できるだけ大きくなければならない。さらに、ユーザが受けるサービスの質およびサービスの範囲は、ユーザによって要求される重要な特性である。したがって、ＯＦＤＭもセルの境界で機能しなければならない。
【０００６】
セル間干渉によって生じるサービスの質を低下させることなく帯域幅の利用を増やすために、ＯＦＤＭ伝送では様々なセルの周波数再利用ファクタ１を達成しなければならない。
【０００７】
周波数再利用ファクタ１を有するセルラシステムでは、セルの境界での干渉に対する信号の比はファクタ１または０ｄＢに近づき、その結果、基地局からのモバイル端末への有用な伝送を維持することができなくなる。したがって、ＣＤＭＡシステム（ＣＤＭＡ＝Code  Division  Multiple  Accessコード分割多重アクセス）では、サービス中のセルからの主コードのほかに隣接セルからの別のコードを使用するソフトハンドオーバが導入された。さらに、両方の基地局は、別々にスクランブルされたパイロット信号を使用する。高速ダウンリンクパケットアクセス（ＨＳＤＰＡ）を使用するパケット伝送では、ＨＳＤＰＡ伝送のカバー範囲をセルエリアの小部分に縮小するようなソリューションは与えられていない。
【０００８】
ＯＦＤＭ伝送では、ＣＤＭＡシステムでのコードの代わりに、時間周波数パターンがモバイル端末に割り当てられる。ＯＦＤＭ伝送では、ＣＤＭＡ伝送とは異なり、干渉がプランニングされ回避され得る。異なる基地局に異なるスクランブリングコードを供給しないＯＦＤＭ伝送の場合でも、セルの境界での問題は解決されなければならない。そのために、時間周波数パターンまたは周波数パターンがユーザに割り当てられ、発生したセル間干渉が調整され得る。
【０００９】
チャネル評価を可能にするために、隣接セル内のパイロットグリッドはそれぞれ異なるが、干渉調整のためには、隣接セル内の周波数パターンは同じでなければならない。
【００１０】
一般に、２つのセルの干渉領域でのチャネル評価を可能にするために、パイロット符号および信号符号は、データ符号より高いエネルギを有すると考えられ、これによって、サービス中のセルが、干渉しているセルのデータ符号と同じ副搬送波周波数上にきても、チャネル評価が可能になる。
【００１１】
しかし、そのために、干渉しているセルのパイロットが同じ副搬送波周波数上にこないことが必要になる。したがって、隣接セル内のパイロットサブグリッドは異なることが必要である。
【発明の開示】
【発明が解決しようとする課題】
【００１２】
本発明の目的は、周波数再利用およびパイロットサブグリッドのパイロットによるチャネル評価を行い、パイロットのためのセルプランニングを必要としない単一周波数マルチセルモバイルネットワーク内でのＯＦＤＭデータ伝送の方法を提案することである。
【課題を解決するための手段】
【００１３】
この目的は、請求項１に記載の方法、請求項４に記載のベーストランシーバステーション、請求項７に記載の基地局コントローラ、請求項９に記載のモバイル端末、および請求項１０に記載のモバイルネットワークによって達成される。
【００１４】
本発明の主な考えは、ＯＦＤＭ時間周波数グリッド中のパイロットサブグリッドの位置が、各セルのランダムシーケンスまたは擬似ランダムシーケンスによって与えられるということである。
【００１５】
パイロットサブグリッドの（擬似）ランダム位置は、隣接セルごとに異なるので、（擬似）ランダムシーケンスは、セル固有のものか、それともセルごとにタイムシフトされたものになるはずである。
【００１６】
パイロット副搬送波周波数の距離がｐであると仮定すると、隣接セルのパイロットサブグリッドと衝突しない、パイロットサブグリッドのｐ−１の周波数シフトが可能である。したがって、この考えは、非同期セルの場合、衝突の確率は約１／ｐの低さであるということである。
【００１７】
さらに、あるＯＦＤＭ符号で１つの衝突が発生しても許容され得る。これは、ＯＦＤＭ符号で前後に何も衝突が発生しなかった場合、ＯＦＤＭ符号期間中の全ての副搬送波周波数の多様性を表す。その場合、チャネル評価は、近傍のＯＦＤＭ符号から外挿または内挿され得る。
【００１８】
次に、２つの衝突が相次いで発生する確率は非常に低いので、ブロックエラーレートはこれらのイベントによってほんのわずかに上げられるだけである。ブロックエラーは決して排除することができないので、この技法には原則的な問題は何もない。
【００１９】
本発明のさらなる発展は、従属請求項および以下の説明から推定され得る。
【００２０】
以下では、本発明は添付の図面を参照しながら説明される。
【発明を実施するための最良の形態】
【００２１】
本発明によるモバイルネットワークは、モバイル端末、本発明による少なくとも１つのベーストランシーバステーション、および本発明による少なくとも１つの基地局コントローラを含む。
【００２２】
前述の各モバイル端末は、前述の少なくとも１つのベーストランシーバステーションの１つに接続され、前述の少なくとも１つのベーストランシーバステーションは、それぞれ前述の少なくとも１つの基地局コントローラに接続される。
【００２３】
モバイル端末は、モバイルネットワーク内でのＯＦＤＭ伝送のためのモバイル端末の機能を含む、すなわち、これらのモバイル端末は、ベーストランシーバステーションによってモバイルネットワークに接続され得る。
【００２４】
好ましい一実施形態では、モバイル端末は、パイロットサブグリッドの擬似ランダムな位置についての情報を受け取る手段と、前述の位置を判定するために前述の情報を評価する手段とを含む。
【００２５】
本発明によるベーストランシーバステーションは、モバイルネットワークのベーストランシーバステーションの機能を含む。すなわち、本発明によるベーストランシーバステーションはモバイル端末がモバイルネットワークに接続される可能性を提供する。さらに、ベーストランシーバステーションは、パイロットサブグリッドのパイロットによるチャネル評価を行い、ランダムにまたは擬似ランダムに分配された、モバイルネットワークの様々なセルのＯＦＤＭ時間周波数グリッド中のパイロットサブグリッドの位置を有するモバイル端末からのおよびモバイル端末への、単一周波数マルチセルモバイルネットワーク内でのデータ伝送の手段を含む。
【００２６】
好ましい一実施形態では、ベーストランシーバステーションは、モバイル端末にパイロットサブグリッドの擬似ランダムな位置に関する情報をシグナリングする手段を含む。
【００２７】
本発明による基地局コントローラは、モバイルネットワークの基地局コントローラの機能を含む。すなわち、本発明による基地局コントローラは無線リソースを制御しハンドオーバ手順を実施する。さらに、基地局コントローラは、パイロットサブグリッドを、ＯＦＤＭ時間周波数グリッド中のこれらのパイロットサブグリッドのランダムにまたは擬似ランダムに分配された位置を有するモバイルネットワークのセルに割り当てる手段を含む。
【００２８】
以下では、本発明による方法が、図１〜３を参照しながら、例として詳細に説明される。
【００２９】
直交周波数分割多重（ＯＦＤＭ）無線システムは、現在多くの場所、たとえば３ＧＰＰ技術仕様グループ（ＴＳＧ）無線アクセスネットワーク（ＲＡＮ１）で論議されている。この無線システムは、現在の広帯域コード分割多重アクセス（ＷＣＤＭＡ）のような単一周波数ネットワークでなければならない。
【００３０】
単一周波数ＯＦＤＭネットワークでは、図１に示されているように、隣接するベーストランシーバステーションによる強い干渉によって特徴付けられる２つのセルが重なり合う領域がある。これらの領域では、パイロットと、ベーストランシーバステーションＢＴＳ  ＡおよびＢＴＳ  Ｂ両方からのモバイル端末ＭＴへのシグナリングとによるチャネル等化が可能でなければならない。
【００３１】
一般に、ベーストランシーバステーションＢＴＳ  ＡおよびＢＴＳ  Ｂは、時間同期されていない。パイロットが隣接セル内の異なる副搬送波周波数に乗せられるセルプランニングを必要とするソリューションの代わりに、セルプランニングを必要としないソリューションが求められる。
【００３２】
２つのセルの干渉領域でのチャネル評価を可能にするために、サービス中のセルのパイロットが、干渉しているセルのデータ符号と同じ副搬送波周波数上にあっても、チャネル評価が可能になるように、パイロットおよびシグナリング符号がデータ符号より高いエネルギを有するとやはり考えられる。
【００３３】
ＴＴＩ間隔とも呼ばれるデータフレームユニットは、たとえば２ｍｓの１つの時間間隔内のｓ＝１２のＯＦＤＭ符号からなる。各ＯＦＤＭ符号は、ある数の、たとえば７０４の、周波数軸に沿った有用な副搬送波周波数を有する。ユーザ多重化を可能にするためには、このＴＴＩ間隔内の時間周波数パターンが、図２に示されているように、時間周波数点の分離したサブセットとして定義されなければならない。この図では、ＯＦＤＭ時間周波数グリッドの副搬送波周波数は、周波数軸ｆに沿った平行線として示されており、０〜１１の番号をつけられたＴＴＩ間隔の時間軸ｔに沿ったＯＦＤＭ符号の位置も平行線として示されている。ＯＦＤＭ時間周波数グリッド内の丸印はパイロットを示し、シグナリング符号はバツ印で示されている。点線の長方形内の副搬送波周波数は、１つのユーザに割り当てられた１つの時間周波数パターンＦＰに属する。
【００３４】
提案された原理は、一般的な時間周波数パターンにも適用され得るが、純粋な周波数パターンに関してさらに説明される。これは、一方では、理解を容易にするためであり、他方では、ベーストランシーバステーションは一般に非同期であり、干渉調整は一般に、ＴＴＩ時間間隔の全てのＯＦＤＭ符号のためにその時間中副搬送波周波数を取っておく純粋な周波数パターンだけが使用され得るようにする目的となっているからである。
【００３５】
ここで、パイロットサブグリッドは一般に、距離ｐを有するパイロット副搬送波周波数のグリッドである。以下では、パイロットおよびシグナリング符号はまとめられ、簡単にするために、全てパイロットと呼ばれ、図２では、パイロットサブグリッドの距離ｐはｐ＝１２である。パイロット副搬送波周波数が、ある１つの周波数パターンの副搬送波周波数上にきた場合、それぞれの副搬送波周波数は、その周波数パターンからスチール（ｓｔｅａｌ）される。次に、周波数パターンは、この損失がパイロットサブグリッドのどのシフトに対しても全ての周波数パターン上に等しく分配されるように定められなければならない。
【００３６】
さらに、本発明の任務である干渉領域内の動作を可能にするために、様々なセルにそれぞれ異なるパイロットサブグリッドのシフトが必要である。
【００３７】
パイロットサブグリッドのシフトまたは位置は、ＴＴＩ間隔のどのＯＦＤＭ符号に対してでも変更され得る。したがって、１つのＯＦＤＭ符号ごとのパイロットシフトは、パイロットパターン、すなわち、特定のセルたとえばセルＡのＴＴＩ間隔内のパイロット副搬送波時間周波数位置のセットを定義する。
【００３８】
次に、セルＢのための１つのＯＦＤＭ符号ごとのパイロットシフトは、セルＢのためのパイロットパターンを定義する。理想的には、隣接セルのためのパイロットサブグリッドは全て衝突すべきではない、すなわち、隣接セルのパイロットパターンは分離的、または直交であるべきである。
【００３９】
本発明では、次に、ＯＦＤＭ時間周波数グリッド内のモバイルネットワークの様々なセルのパイロットサブグリッドの位置が、ランダムにまたは擬似ランダムに分配される。
【００４０】
パイロットサブグリッドの位置は、隣接セルごとに異なるものなので、それらの位置の擬似ランダムシーケンスは、セル固有であるかそれとも各セルに対して時間シフトされるべきである。
【００４１】
パイロット副搬送波距離がｐである場合、隣接セルのパイロットサブグリッドと衝突しない、パイロットサブグリッドのｐ−１のシフトが可能である。したがって、この考えは、同期されていないセルの場合、衝突の確率は約１／ｐの低さであるということである。
【００４２】
さらに、１つのＯＦＤＭ符号の前後において衝突が１つも発生しない場合は、そのＯＦＤＭ符号内で１つの衝突が発生しても許容される。その場合、チャネル評価は、近傍のＯＦＤＭ符号から外挿または内挿され得る。
【００４３】
この原理は、シグナリング情報にも当てはまる。共用のシグナリング情報も、パイロットサブグリッドと同様の、またはそれと共にインターリーブされた、より高いエネルギのＱＡＭ符号（ＱＡＭ＝Quadrature  Amplitude  Modulation直交振幅変調）を有するグリッド上で搬送される場合、そのような２つのセルのグリッドの衝突は、チャネルコーディングの冗長性によって補償され得る。
【００４４】
結論として、近傍のセルのパイロットまたはシグナリング符号の孤立した衝突は、許容され得る。
【００４５】
次に、２つの衝突が相次いで発生する確率は非常に低いので、ブロックエラー率はこれらのイベントによってほんのわずかに上げられるだけである。ブロックエラーは決して除外され得ないので、この技法には原則的な問題は何もない。
【００４６】
好ましい一実施形態では、モバイル端末ＭＴでの信号の受け取りを容易にするために、擬似ランダムシーケンスがモバイル端末ＭＴに知らされる。これは、たとえば、擬似シーケンスの生成のためのリニアフィードバック機能、およびシードが呼設定時に知られるようにするセル内のシードの周期的シグナリング機能を有する、シフトレジスタを使用することによって行われ得る。
【００４７】
上記で説明された技法は、非同期セルおよび大きなパイロット距離のための作業に有効である。
【００４８】
他の実施形態では、ベーストランシーバステーションの少なくともいくつかが同期され得る場合は、それらには、セルプランニングの導入が可能なはずである。
その場合、それらのベーストランシーバステーションは全て、パイロットサブグリッドの同一同期ランダム位置または擬似ランダム位置、およびセル固有の周波数シフトを使用する。これらのシフトは、全ての干渉領域でパイロットサブグリッドの衝突が発生しないように、隣接セル内でそれぞれ異なるようにプランニングされる。本発明による基地局コントローラは、パイロットサブグリッドのこれらの同一同期ランダム位置または擬似ランダム位置に加えてセル固有の周波数シフトをモバイルネットワークのセルに割り当てる。
【００４９】
提案された技法に関する一般原理を確立すれば、これは、単一周波数ＯＦＤＭネットワークが、同期化またはセルプランニングを必要とすることなく機能することを意味するが、同期化およびセルプランニングが可能な場合は、性能は幾分改善され得る。
【００５０】
本発明を詳しく述べるために、図２に、パイロット距離ｐ＝１２のパイロットサブグリッド、および１２の連続したＯＦＤＭ符号内での１１の近傍副搬送波周波数からなる周波数パターンＦＰが示されている。前述のように７０４の有用な副搬送波周波数を利用でき、６４＊１１＝７０４なので、６４のこれらの周波数パターンＦＰが利用可能である。
【００５１】
次に、各ＯＦＤＭ符号内のパイロットヒットのために、１つのデータ副搬送波周波数がスチールされ得るが、依然として少なくとも１０の副搬送波周波数が残る。したがって、１つの周波数パターンＦＰは、１２のＯＦＤＭ符号を有するＴＴＩ間隔では、常に、伝送のために使用可能な１０＊１２＝１２０のＱＡＭ符号からなる。これは、パイロットシフトから真に独立している。すなわち、これは認知するのが容易な特定のセルのための選ばれたパイロットサブグリッドから独立している。
【００５２】
図２に示されている例は、周波数選択性周波数パターンＦＰの例である。そうではなく、１１の副搬送波周波数を有する周波数多様周波数パターンＦＰが櫛形に構築されている場合にも、同じ特性が達成され得る。この場合、周波数パターンＦＰの副搬送波は、１２を法（ｍｏｄｕｌｏ）とする副搬送波周波数の位置が０から１１までの全範囲にスイープするように分配される。この場合のパイロットによる副搬送波周波数のスチーリングに関しては、周波数多様周波数パターンＦＰは、同じ特性の達成を可能にし、本発明の働きを例示している。
【００５３】
他の実施形態では、静止ユーザへの長期割当てのために使用される低率周波数パターンを構築するために、再度、ｐ＝１２のパイロット距離、すなわちパイロット期間を仮定する。さらに、ＴＴＩ間隔は、ｓ＝３のＯＦＤＭ符号からなる。次に、低率周波数パターンを可能にするために、あるＯＦＤＭ符号から次のＯＦＤＭ符号へのパイロットサブグリッドの制限されたシフトが提案される。周波数パターンは、図３に示されているように、４つの近傍副搬送波周波数だけからなっている。ここでは、周波数パターンＦＰ０、ＦＰ１およびＦＰ２への、周波数軸ｆに沿って示されている副搬送波周波数の割当てが示されている。４つの近傍副搬送波周波数は、各周波数パターンＦＰ０、ＦＰ１およびＦＰ２に属する。時間軸ｔに沿って、１つのＴＴＩ間隔の３つのＯＦＤＭ符号Ｓ０、Ｓ１およびＳ２が示されている。以下に説明されているように制限されたシフトで（擬似）ランダムに分配されたパイロットは、小さな丸い点として示されている。
【００５４】
３つの周波数パターンＦＰ０、ＦＰ１およびＦＰ２は、合わせて１２の副搬送波周波数を有し、パイロット距離はｐ＝１２なので、パイロットヒットの数を評価するためにここではまとめて考えられなければならない。ここでは、第１のＯＦＤＭ符号Ｓ０内のパイロットシフトまたはパイロット位置は制限されていない。しかし、第２のＯＦＤＭ符号Ｓ１内では、同じ周波数パターンＦＰ０は二度とヒットされることはなく、したがって、周波数パターンＦＰ１およびＦＰ２内で８つのパイロットシフトまたはパイロット位置だけが依然として可能なままである。最後に、第３のＯＦＤＭ符号Ｓ２内では、２つの周波数パターンＦＰ０およびＦＰ２はもうヒットされなくてもよく、その結果、４つのパイロットシフトまたはパイロット位置だけが依然として可能なままであり、パイロットは周波数パターンＦＰ２内になければならない。
【００５５】
ここで、このシフトの制限は、各周波数パターンＦＰ０、ＦＰ１およびＦＰ２が各ＴＴＩ間隔で１つのパイロットヒットを受けるだけであること、および４＊３−１＝１１の副搬送波がデータ伝送のための各周波数パターンで使用され得ることを保証する。０．５ｍｓのＴＴＩ間隔のためのＱＰＳＫ変調（ＱＰＳＫ＝Quadrature  Phase  Shift  Keying直交位相偏移変調）を仮定すると、これはやはり（１１＊２ビット）／（０．５ｍｓ）＝４４ｋビット／ｓのローデータレートになる。
【００５６】
一般に、このパイロット位置の制限も、１つまたはいくつかのＯＦＤＭ符号内で行われ得るだけであり、これらのＯＦＤＭ符号ためのパイロットは、現在のＴＴＩ間隔で最低の数のパイロットを有するこれらの周波数パターンの１つで許可されるだけである。
【００５７】
この制限は、ブロックエラーレート（ＢＬＥＲ）に影響する、２つの隣接セルからの２つのパイロットサブグリッドがランダムな割当てで衝突する確率に影響を与えることは明らかである。さらに、これら２つのセルは非同期であることを覚えておかなければならない。高いブロックエラーレートを有するマルチセルシナリオでは、その結果は許容可能であると期待される。さらに、所与の原理に従えば、この実施形態は、衝突確率が望ましい値になるように変更されることも可能である。
【００５８】
本発明によるベーストランシーバステーションは、前述の方法に従って、（擬似）ランダムに分配されたパイロットの位置を制限する。
【図面の簡単な説明】
【００５９】
【図１】ベーストランシーバステーションＢＴＳ  Ａによってサービスされ、ベーストランシーバステーションＢＴＳ  Ｂの干渉によって妨害されるモバイル端末ＭＴのセル境界での干渉状況を示す概略図である。
【図２】ＯＦＤＭ時間周波数グリッドの副搬送波周波数の、パイロットおよびシグナリング符号への割当てを示す概略図である。
【図３】本発明による、ＯＦＤＭデータ伝送の方法を実施するために使用されるＯＦＤＭ時間周波数グリッドの様々な周波数パターンへの、パイロットのランダムな割り当てを示す概略図である。
【符号の説明】
【００６０】
ＭＴ  モバイル端末
ＢＴＳ  Ａ、ＢＴＳ  Ｂ  ベーストランシーバステーション
ＦＰ、ＦＰ０、ＦＰ１、ＦＰ２  周波数パターン
Ｓ０、Ｓ１、Ｓ２  ＯＦＤＭ符号
【図１】
2006246456.tif 000003
【図２】
2006246456.tif 000004
【図３】
2006246456.tif 000005
【外国語明細書】
2006246456.tif 000006
2006246456.tif 000007
2006246456.tif 000008
2006246456.tif 000009
2006246456.tif 000010
2006246456.tif 000011
2006246456.tif 000012
2006246456.tif 000013
2006246456.tif 000014
2006246456.tif 000015
2006246456.tif 000016
2006246456.tif 000017
2006246456.tif 000018
2006246456.tif 000019
2006246456.tif 000020
2006246456.tif 000021
2006246456.tif 000022
2006246456.tif 000023
2006246456.tif 000024
2006246456.tif 000025
2006246456.tif 000026